(57)【要約】【課題】  生体情報を計測する電池駆動の生体情報計測端末１１と生体情報を受信する生体情報受信端末１２から構成される生体情報計測システムにおいて、生体情報計測端末の電源電圧低下により生体情報計測不能となることを回避できる生体情報計測システムを提供する。【解決手段】  生体情報計測端末１１に電池残量計測手段１１１を持たせ、生体情報計測端末１１又は生体情報受信端末１２に計測間隔決定手段１１２、計測時間決定手段１１３を持たせ、電池残量に応じて計測間隔、計測時間、及び／若しくは送信間隔を制御する。【選択図】    図１
2004230152.tif 000002
【特許請求の範囲】
【請求項１】
被験者の生体情報を計測する生体情報計測手段と、計測された前記生体情報を生体情報受信端末に送信する計測結果送信手段と、前記生体情報計測手段及び前記計測結果送信手段を作動させるための電池とを有する生体情報計測端末と、
前記生体情報計測端末から送信された前記被験者の生体情報を受信する計測結果受信手段と、受信した前記生体情報を記憶する記憶手段とを有する前記生体情報受信端末と、
からなる生体情報計測システムにおいて、
前記生体情報計測端末は、前記生体情報計測端末の電池残量を計測する電池残量計測手段と、前記電池残量に応じて前記生体情報計測手段が前記被験者の生体情報を計測する間隔を決定する計測間隔決定手段と、前記電池残量に応じて前記生体情報計測手段が前記被験者の生体情報を計測する時間を決定する計測時間決定手段と、を有することを特徴とする生体情報計測システム。
【請求項２】
前記生体情報計測端末において、前記計測結果送信手段は、前記生体情報計測手段によって計測された生体情報及び前記電池残量計測手段によって計測された前記生体情報計測端末の電池残量を前記生体情報受信端末に送信し、
前記生体情報受信端末において、前記記憶手段は、前記生体情報及び前記電池残量を記憶することを特徴とする請求項1に記載の生体情報計測システム。
【請求項３】
前記生体情報計測端末は、複数の生体情報計測手段で生体情報を計測し、
前記計測間隔決定手段及び前記計測時間決定手段は、前記電池残量に応じて生体情報計測手段ごとに計測間隔及び計測時間を変更することを特徴とする、請求項1または2に記載の生体情報計測システム。
【請求項４】
前記生体情報計測端末において、前記計測間隔決定手段は、電池残量が予め設けられた電池残量の閾値を下回った時に計測間隔を大きな値に変更することを特徴とする、請求項１から３のうちいずれか1項に記載の生体情報計測システム。
【請求項５】
前記生体情報計測端末において、前記計測間隔決定手段は、電池残量の減少量に比例して計測間隔を大きな値に変更することを特徴とする、請求項１から３のうちいずれか1項に記載の生体情報計測システム。
【請求項６】
前記生体情報計測端末において、前記計測時間決定手段は、電池残量が予め設けられた電池残量の閾値を下回った時に計測時間を小さな値に変更することを特徴とする、請求項１から５のうちいずれか1項に記載の生体情報計測システム。
【請求項７】
前記生体情報計測端末において、前記計測時間決定手段は、電池残量の減少量に比例して計測時間を小さな値に変更することを特徴とする、請求項１から５のうちいずれか1項に記載の生体情報計測システム。
【請求項８】
前記生体情報計測端末において、前記生体情報計測手段で計測する前記生体情報は、前記被験者の脈情報及び行動情報であることを特徴とする、請求項１から７のうちいずれか1項に記載の生体情報計測システム。
【請求項９】
前記生体情報計測端末は、計測した前記生体情報を記憶する記憶手段と、前記電池残量に応じて前記計測結果送信手段の送信間隔を決定する送信間隔決定手段とを有することを特徴とする、請求項１から８のうちいずれか1項に記載の生体情報計測システム。
【請求項１０】
前記生体情報計測端末において、前記送信間隔決定手段は、電池残量が予め設けられた電池残量の閾値を下回った時に送信間隔を大きな値に変更することを特徴とする、請求項１から９のうちいずれか1項に記載の生体情報計測システム。
【請求項１１】
前記生体情報計測端末において、前記送信間隔決定手段は、電池残量の減少量に比例して送信間隔を大きな値に変更することを特徴とする、請求項１から９のうちいずれか1項に記載の生体情報計測システム。
【請求項１２】
被験者の生体情報を計測する生体情報計測手段と、計測された前記生体情報を生体情報受信端末に送信する計測結果送信手段とを有する、少なくとも２つ以上の生体情報計測端末と、
前記生体情報計測端末から送信された前記被験者の生体情報を受信する計測結果受信手段と、受信した前記生体情報を記憶する記憶手段とを有する前記生体情報受信端末と、
からなる生体情報計測システムにおいて、
前記生体情報計測端末の少なくとも１つ以上は、前記生体情報計測手段及び前記計測結果送信手段を作動させるための電池を有し、
前記生体情報計測端末は、前記生体情報計測端末の電池残量を計測する電池残量計測手段と、前記電池残量に応じて前記生体情報計測手段が前記被験者の生体情報を計測する間隔を決定する計測間隔決定手段と、前記電池残量に応じて前記生体情報計測手段が前記被験者の生体情報を計測する時間を決定する計測時間決定手段とを有し、
前記生体情報計測端末は、前記電池残量に応じて他の生体情報計測端末に前記被験者の生体情報を計測させるかを判定する判定手段と、前記判定手段の判定結果に応じて他の生体情報計測端末の動作を制御する制御信号を送信する制御信号送信手段と、他の生体情報計測端末の制御信号送信手段から送られてきた制御信号を受信する制御信号受信手段と、を有することを特徴とする生体情報計測システム。
【請求項１３】
前記生体情報計測端末において、前記判定手段は、電池残量が予め設けられた電池残量の閾値を下回った時に、他の生体情報計測端末で前記被験者の生体情報を計測するかを判定することを特徴とする、請求項１２記載の生体情報計測システム。
【請求項１４】
前記生体情報計測端末において、前記計測結果送信手段は、前記生体情報計測手段によって計測された生体情報及び前記電池残量計測手段によって計測された前記生体情報計測端末の電池残量を前記生体情報受信端末に送信し、
前記生体情報受信端末において、前記記憶手段は、前記生体情報及び前記電池残量を記憶することを特徴とする、請求項１２または１３に記載の生体情報計測システム。
【請求項１５】
前記生体情報計測端末は、複数の生体情報計測手段で生体情報を計測し、
前記計測間隔決定手段及び前記計測時間決定手段は、前記電池残量に応じて生体情報計測手段ごとに計測間隔及び計測時間を変更することを特徴とする、請求項１２から１４のうちいずれか1項に記載の生体情報計測システム。
【請求項１６】
前記生体情報計測端末において、前記計測間隔決定手段は、電池残量が予め設けられた電池残量の閾値を下回った時に計測間隔を大きな値に変更することを特徴とする、請求項１２から１５のうちいずれか1項に記載の生体情報計測システム。
【請求項１７】
前記生体情報計測端末において、前記計測間隔決定手段は、電池残量の減少量に比例して計測間隔を大きな値に変更することを特徴とする、請求項１２から１５のうちいずれか1項に記載の生体情報計測システム。
【請求項１８】
前記生体情報計測端末において、前記計測時間決定手段は、電池残量が予め設けられた電池残量の閾値を下回った時に計測時間を小さな値に変更することを特徴とする、請求項１２から１７のうちいずれか1項に記載の生体情報計測システム。
【請求項１９】
前記生体情報計測端末において、前記計測時間決定手段は、電池残量の減少量に比例して計測時間を小さな値に変更することを特徴とする、請求項１２から１７のうちいずれか1項に記載の生体情報計測システム。
【請求項２０】
前記生体情報計測端末において、前記生体情報計測手段で計測する前記生体情報は、前記被験者の脈情報及び行動情報であることを特徴とする、請求項１２から１９のうちいずれか1項に記載の生体情報計測システム。
【請求項２１】
前記生体情報計測端末は、計測した前記生体情報を記憶する記憶手段と、前記電池残量に応じて前記計測結果送信手段の送信間隔を決定する送信間隔決定手段とを有することを特徴とする、請求項１２から２０のうちいずれか1項に記載の生体情報計測システム。
【請求項２２】
前記生体情報計測端末において、前記送信間隔決定手段は、電池残量が予め設けられた電池残量の閾値を下回った時に送信間隔を大きな値に変更することを特徴とする、請求項１２から２１のうちいずれか1項に記載の生体情報計測システム。
【請求項２３】
前記生体情報計測端末において、前記送信間隔決定手段は、電池残量の減少量に比例して送信間隔を大きな値に変更することを特徴とする、請求項１２から２１のうちいずれか1項に記載の生体情報計測システム。
【請求項２４】
被験者の生体情報を計測する生体情報計測手段と、計測された前記生体情報を生体情報受信端末に送信する計測結果送信手段とを有する、少なくとも２つ以上の生体情報計測端末と、
前記生体情報計測端末から送信された前記被験者の生体情報を受信する計測結果受信手段と、受信した前記生体情報を記憶する記憶手段とを有する生体情報受信端末と、
からなる生体情報計測システムにおいて、
前記生体情報計測端末の少なくとも１つ以上は、前記生体情報計測手段及び前記計測結果送信手段を作動させるための電池を有し、
前記生体情報計測端末は、前記生体情報計測端末の電池残量を計測する電池残量計測手段と、前記電池残量に応じて前記生体情報計測手段が前記被験者の生体情報を計測する間隔を決定する計測間隔決定手段と、前記電池残量に応じて前記生体情報計測手段が前記被験者の生体情報を計測する時間を決定する計測時間決定手段とを有し、
前記生体情報受信端末は、生体情報計測端末から送られてきた前記生体情報計測端末の電池残量に応じて他の生体情報計測端末に被験者の生体情報を計測させるかを判定する判定手段と、前記判定手段の判定結果に応じて他の生体情報計測端末の動作を制御する制御信号を送信する制御信号送信手段とを有し、
前記生体情報計測端末は、前記生体情報受信端末の前記制御信号送信手段から送られてきた制御信号を受信する制御信号受信手段を有することを特徴とする生体情報計測システム。
【請求項２５】
前記生体情報受信端末において、前記判定手段は、電池残量が予め設けられた電池残量の閾値を下回った時に、他の生体情報計測端末で前記被験者の生体情報を計測するかを判定することを特徴とする、請求項２４記載の生体情報計測システム。
【請求項２６】
前記生体情報計測端末において、前記計測結果送信手段は、前記生体情報計測手段によって計測された生体情報及び前記電池残量計測手段によって計測された前記生体情報計測端末の電池残量を前記生体情報受信端末に送信し、
前記生体情報受信端末において、前記記憶手段は、前記生体情報及び前記電池残量を記憶することを特徴とする、請求項２４または２５に記載の生体情報計測システム。
【請求項２７】
前記生体情報計測端末は、複数の生体情報計測手段で生体情報を計測し、
前記計測間隔決定手段及び前記計測時間決定手段は、前記電池残量に応じて生体情報計測手段ごとに計測間隔及び計測時間を変更することを特徴とする、請求項２４から２６のうちいずれか１項に記載の生体情報計測システム。
【請求項２８】
前記生体情報計測端末において、前記計測間隔決定手段は、電池残量が予め設けられた電池残量の閾値を下回った時に計測間隔を大きな値に変更することを特徴とする、請求項２４から２７のうちいずれか１項に記載の生体情報計測システム。
【請求項２９】
前記生体情報計測端末において、前記計測間隔決定手段は、電池残量の減少量に比例して計測間隔を大きな値に変更するとを特徴とする、請求項２４から２７のうちいずれか１項に記載の生体情報計測システム。
【請求項３０】
前記生体情報計測端末において、前記計測時間決定手段は、電池残量が予め設けられた電池残量の閾値を下回った時に計測時間を小さな値に変更することを特徴とする、請求項２４から２９のうちいずれか１項に記載の生体情報計測システム。
【請求項３１】
前記生体情報計測端末において、前記計測時間決定手段は、電池残量の減少量に比例して計測時間を小さな値に変更することを特徴とする、請求項２４から２９のうちいずれか１項に記載の生体情報計測システム。
【請求項３２】
前記生体情報計測端末において、前記生体情報計測手段で計測する前記生体情報は、前記被験者の脈情報及び行動情報であることを特徴とする、請求項２４から３１のいずれか1項に記載の生体情報計測システム。
【請求項３３】
前記生体情報計測端末は、計測した前記生体情報を記憶する記憶手段と、前記電池残量に応じて前記計測結果送信手段の送信間隔を決定する送信間隔決定手段とを有することを特徴とする、請求項２４から３２のうちいずれか1項に記載の生体情報計測システム。
【請求項３４】
前記生体情報計測端末において、前記送信間隔決定手段は、電池残量が予め設けられた電池残量の閾値を下回った時に送信間隔を大きな値に変更することを特徴とする、請求項２４から３３のうちいずれか1項に記載の生体情報計測システム。
【請求項３５】
前記生体情報計測端末において、前記送信間隔決定手段は、電池残量の減少量に比例して送信間隔を大きな値に変更することを特徴とする、請求項２４から３３のうちいずれか1項に記載の生体情報計測システム。
【請求項３６】
被験者の生体情報を計測する生体情報計測手段と、計測された前記生体情報を生体情報受信端末に送信する計測結果送信手段と、前記生体情報計測手段及び前記計測結果送信手段を作動させるための電池とを有する、少なくとも1つ以上の生体情報計測端末と、
前記生体情報計測端末から送信された前記被験者の生体情報を受信する計測結果受信手段と、受信した生体情報を記憶する記憶手段とを有する生体情報受信端末と、
からなる生体情報計測システムにおいて、
前記生体情報計測端末は、前記生体情報計測端末の電池残量を計測する電池残量計測手段を有し、前記生体情報計測端末において、前記計測結果送信手段は、前記被験者の生体情報及び前記電池残量も送信し、
前記生体情報受信端末において、前記記憶手段は、前記被験者の生体情報及び前記電池残量も記憶し、
前記生体情報受信端末は、前記電池残量に応じて前記生体情報計測手段が前記被験者の生体情報を計測する間隔を決定する計測間隔決定手段と、前記電池残量に応じて前記生体情報計測手段が前記被験者の生体情報を計測する計測時間を決定する計測時間決定手段と、前記計測間隔決定手段で決定された計測間隔及び前記計測時間決定手段で決定された計測時間を前記生体情報計測端末に送信する決定結果送信手段と、を有し、
前記生体情報計測端末は、前記決定結果送信手段から送信されてきた決定結果を受信する決定結果受信手段を有することを特徴とする、生体情報計測システム。
【請求項３７】
前記生体情報計測端末は、複数の生体情報計測手段で生体情報を計測し、前記生体情報受信端末は、前記計測間隔決定手段及び前記計測時間決定手段で、電池残量に応じて生体情報計測手段ごとに計測間隔及び計測時間を変更することを特徴とする、請求項３６に記載の生体情報計測システム。
【請求項３８】
前記生体情報受信端末において、前記計測間隔決定手段は、電池残量が予め設けられた電池残量の閾値を下回った時に計測間隔を大きな値に変更することを特徴とする、請求項３６または３７に記載の生体情報計測システム。
【請求項３９】
前記生体情報受信端末において、前記計測間隔決定手段は、電池残量の減少量に比例して計測間隔を大きな値に変更することを特徴とする、請求項３６または３７に記載の生体情報計測システム。
【請求項４０】
前記生体情報受信端末において、前記計測時間決定手段は、電池残量が予め設けられた電池残量の閾値を下回った時に計測時間を小さな値に変更することを特徴とする、請求項３６から３９のうちいずれか１項に記載の生体情報計測システム。
【請求項４１】
前記生体情報受信端末において、前記計測時間決定手段は、電池残量の減少量に比例して計測時間を小さな値に変更することを特徴とする、請求項３６から３９のうちいずれか１項に記載の生体情報計測システム。
【請求項４２】
前記生体情報計測端末において、前記生体情報計測手段で計測する生体情報は、前記被験者の脈情報及び行動情報であることを特徴とする、請求項３６から４１のうちいずれか１項に記載の生体情報計測システム。
【請求項４３】
前記生体情報計測端末は、計測した前記生体情報を記憶する記憶手段と、前記電池残量に応じて前記計測結果送信手段の送信間隔を決定する送信間隔決定手段を有することを特徴とする、請求項３６から４２のうちいずれか1項に記載の生体情報計測システム。
【請求項４４】
前記生体情報計測端末において、前記送信間隔決定手段は、電池残量が予め設けられた電池残量の閾値を下回った時に送信間隔を大きな値に変更することを特徴とする、請求項３６から４３のうちいずれか1項に記載の生体情報計測システム。
【請求項４５】
前記生体情報計測端末において、前記送信間隔決定手段は、電池残量の減少量に比例して、送信間隔を大きな値に変更することを特徴とする、請求項３６から４３のうちいずれか1項に記載の生体情報計測システム。
【請求項４６】
前記生体情報受信端末は、生体情報計測端末の電池残量に応じて他の生体情報計測端末に被験者の生体情報を計測させるかを判定する判定手段と、
前記判定手段の判定結果に応じて他の生体情報計測端末の動作を制御する制御信号を送信する制御信号送信手段と、を有し、
前記生体情報計測端末は、前記生体情報受信端末の制御信号送信手段から送られてきた制御信号を受信する制御信号受信手段を有することを特徴とする、請求項３６から４５のうちいずれか1項に記載の生体情報計測システム。
【請求項４７】
前記生体情報受信端末において、前記判定手段は、電池残量が予め設けられた電池残量の閾値を下回った時に、他の生体情報計測端末で前記被験者の生体情報を計測するかを判定することを特徴とする、請求項３６から46のうちいずれか1項に記載の生体情報計測システム。
【発明の詳細な説明】
【技術分野】
【０００１】
本発明は、被験者の生体情報を取得する生体情報計測システムに関する。
【背景技術】
【０００２】
生体情報を計測し、受信端末に伝送する生体情報計測システムは従来から知られており、被験者の指、耳、腕、足、胴体、または首などに装着して、生体信号を計測する生体信号計測端末において、計測された生体信号から被験者の健康状態を判定し、健康状態が良好である場合には次回の計測までの待機時間を長く設定することで、端末の消費電力を減らすことができ、頻繁に電池を交換する必要が無いので手間がかからないと共に、運用コストを低減することができる、という技術がある（例えば、特許文献1参照。）。
【特許文献１】特開2001-252250 号公報(第4頁、第1図)
【発明の開示】
【発明が解決しようとする課題】
【０００３】
被験者の生体情報を計測するシステムにおいて必要となることは常に被験者の生体情報を取り続けることである。そのため従来の技術では消費電力を減らすための工夫がなされている。しかし従来の技術では、電池の残量には着目しておらず、電池残量が残りわずかであっても、決まったタイミングで計測を行うので、例えば電池残量がわずかな状態で睡眠状態に入り、寝ている間に電池が切れその後被験者の状態が急変したときにその状態を計測できないという問題が生じる。
【課題を解決するための手段】
【０００４】
上記目的を解決するために、本発明の生体情報計測システムは、被験者の生体情報を計測する生体情報計測手段と、計測された生体情報を生体情報受信端末に送信する計測結果送信手段と、前記生体情報計測手段及び前記計測結果送信手段を作動させるための電池とを有する生体情報計測端末と、生体情報を受信する計測結果受信手段と、受信した生体情報を記憶する記憶手段とを有する生体情報受信端末とからなる生体情報計測システムにおいて、前記生体情報計測端末は、前記生体情報計測端末の電池残量を計測する電池残量計測手段と、前記電池残量に応じて前記生体情報計測手段が前記被験者の生体情報を計測する間隔（ある計測開始時刻とその次の計測開始時刻との時間差）を決定する計測間隔決定手段と、前記電池残量に応じて前記生体情報計測手段が前記被験者の生体情報を計測する時間（計測開始時刻から計測をし続ける時間）のを決定する計測時間決定手段とを有することを特徴とする生体情報計測システムである。
【０００５】
ここで前記生体情報計測端末の前記計測結果送信手段は、生体情報及び前記電池残量を送信し、前記生体情報受信端末の前記記憶手段は生体情報及び前記電池残量も記憶することを特徴とする。
【０００６】
また、前記生体情報計測端末は、複数の生体情報計測手段で計測し、前記電池残量に応じてそれぞれの計測間隔及び計測時間を変更することを特徴とする。
【０００７】
また、前記生体情報計測端末の前記計測間隔決定手段は、電池残量が予め設けられた電池残量の閾値を下回った時に計測間隔を大きな値に変更することを特徴とする。
【０００８】
また、前記生体情報計測端末の前記計測間隔決定手段は、電池残量の減少量に比例して計測間隔を大きな値に変更することを特徴とする。
【０００９】
また、前記生体情報計測端末の前記計測時間決定手段は、電池残量が予め設けられた電池残量の閾値を下回った時に計測時間を小さな値に変更することを特徴とする。
【００１０】
また、前記生体情報計測端末の前記計測時間決定手段は、電池残量の減少量に比例して計測時間を小さな値に変更することを特徴とする。
【００１１】
また、前記生体情報計測端末で計測する被験者の生体情報は、行動情報と脈情報であることを特徴とする。
【００１２】
また、前記生体情報計測端末は、計測した前記生体情報を記憶する記憶手段と、前記電池残量に応じて前記計測結果送信手段の送信間隔（ある送信開始時刻とその次の送信開始時刻との時間差）を決定する送信間隔決定手段とを有することを特徴とする。
【００１３】
また、前記生体情報計測端末の前記送信間隔決定手段は、電池残量が予め設けられた電池残量の閾値を下回った時に送信間隔を大きな値に変更することを特徴とする。
【００１４】
また、前記生体情報計測端末の前記送信間隔決定手段は、電池残量の減少量に比例して、送信間隔を変更することを特徴とする。
【００１５】
また、本発明の別の生体情報計測システムは、被験者の生体情報を計測する生体情報計測手段と、計測された前記生体情報を生体情報受信端末に送信する計測結果送信手段とを有する、少なくとも２つ以上の生体情報計測端末と、前記生体情報計測端末から送信された前記被験者の生体情報を受信する計測結果受信手段と、受信した前記生体情報を記憶する記憶手段とを有する前記生体情報受信端末とからなる生体情報計測システムにおいて、前記生体情報計測端末の少なくとも１つ以上は前記生体情報計測手段及び前記計測結果送信手段を作動させるための電池を有し、前記生体情報計測端末は、前記生体情報計測端末の電池残量を計測する電池残量計測手段と、前記電池残量に応じて前記生体情報計測手段が前記被験者の生体情報を計測する間隔を決定する計測間隔決定手段と、前記電池残量に応じて前記生体情報計測手段が前記被験者の生体情報を計測する時間を決定する計測時間決定手段とを有し、前記生体情報計測端末は、前記電池残量に応じて他の生体情報計測端末に前記被験者の生体情報を計測させるかを判定する判定手段と、前記判定手段の判定結果に応じて他の生体情報計測端末の動作を制御する制御信号を送信する制御信号送信手段と、他の生体情報計測端末の制御信号送信手段から送られてきた制御信号を受信する制御信号受信手段とを有することを特徴とする。
【００１６】
ここで前記生体情計測端末の前記判定手段は、電池残量が予め設けられた電池残量の閾値を下回った時に、他の生体情報計測端末で前記被験者の生体情報を計測するかを判定することを特徴とする。
【００１７】
また、前記生体情報計測端末の前記計測結果送信手段は、前記生体情報計測手段によって計測された生体情報及び前記電池残量計測手段によって計測された前記生体情報計測端末の電池残量を前記生体情報受信端末に送信し、前記生体情報受信端末において、前記記憶手段は、前記生体情報及び前記電池残量を記憶することを特徴とする。
【００１８】
また、前記生体情報計測端末は、複数の生体情報計測手段で生体情報を計測し、前記計測間隔決定手段及び前記計測時間決定手段は、前記電池残量に応じて生体情報計測手段ごとに計測間隔及び計測時間を変更することを特徴とする。
【００１９】
また、前記生体情報計測端末の前記計測間隔決定手段は、電池残量が予め設けられた電池残量の閾値を下回った時に計測間隔を大きな値に変更することを特徴とする。
【００２０】
また、前記生体情報計測端末の前記計測間隔決定手段は、電池残量の減少量に比例して計測間隔を大きな値に変更することを特徴とする。
【００２１】
また、前記生体情報計測端末の前記計測時間決定手段は、電池残量が予め設けられた電池残量の閾値を下回った時に計測時間を小さな値に変更することを特徴とする。
【００２２】
また、前記生体情報計測端末の前記計測時間決定手段は、電池残量の減少量に比例して計測時間を小さな値に変更することを特徴とする。
【００２３】
また、前記生体情報計測端末で計測する被験者の生体情報は、行動情報と脈情報であることを特徴とする。
【００２４】
また、前記生体情報計測端末は、計測した前記生体情報を記憶する記憶手段と、前記電池残量に応じて前記計測結果送信手段の送信間隔を決定する送信間隔決定手段とを有することを特徴とする。
【００２５】
また、前記生体情報計測端末の前記送信間隔決定手段は、電池残量が予め設けられた電池残量の閾値を下回った時に送信間隔を大きな値に変更することを特徴とする。
【００２６】
また、前記生体情報計測端末の前記送信間隔決定手段は、電池残量の減少量に比例して送信間隔を大きな値に変更することを特徴とする。
【００２７】
また、本発明の別の生体情報計測システムは、被験者の生体情報を計測する生体情報計測手段と、計測された前記生体情報を生体情報受信端末に送信する計測結果送信手段とを有する、少なくとも２つ以上の生体情報計測端末と、前記生体情報計測端末から送信された前記被験者の生体情報を受信する計測結果受信手段と、受信した前記生体情報を記憶する記憶手段とを有する生体情報受信端末と、からなる生体情報計測システムにおいて、前記生体情報計測端末の少なくとも１つ以上は前記生体情報計測手段及び前記計測結果送信手段を作動させるための電池を有し、前記生体情報計測端末は、前記生体情報計測端末の電池残量を計測する電池残量計測手段と、前記電池残量に応じて前記生体情報計測手段が前記被験者の生体情報を計測する間隔を決定する計測間隔決定手段と、前記電池残量に応じて前記生体情報計測手段が前記被験者の生体情報を計測する時間を決定する計測時間決定手段とを有し、前記生体情報受信端末は、生体情報計測端末から送られてきた前記生体情報計測端末の電池残量に応じて他の生体情報計測端末に被験者の生体情報を計測させるかを判定する判定手段と、前記判定手段の判定結果に応じて他の生体情報計測端末の動作を制御する制御信号を送信する制御信号送信手段とを有し、前記生体情報計測端末は、前記生体情報受信端末の前記制御信号送信手段から送られてきた制御信号を受信する制御信号受信手段を有することを特徴とする。
【００２８】
ここで前記生体情計測端末の前記判定手段は、電池残量が予め設けられた電池残量の閾値を下回った時に、他の生体情報計測端末で前記被験者の生体情報を計測するかを判定することを特徴とする。
【００２９】
また、前記生体情報計測端末の前記計測結果送信手段は、前記生体情報計測手段によって計測された生体情報及び前記電池残量計測手段によって計測された前記生体情報計測端末の電池残量を前記生体情報受信端末に送信し、前記生体情報受信端末において、前記記憶手段は、前記生体情報及び前記電池残量を記憶することを特徴とする。
【００３０】
また、前記生体情報計測端末は、複数の生体情報計測手段で生体情報を計測し、前記計測間隔決定手段及び前記計測時間決定手段は、前記電池残量に応じて生体情報計測手段ごとに計測間隔及び計測時間を変更することを特徴とする。
【００３１】
また、前記生体情報計測端末の前記計測間隔決定手段は、電池残量が予め設けられた電池残量の閾値を下回った時に計測間隔を大きな値に変更することを特徴とする。
【００３２】
また、前記生体情報計測端末の前記計測間隔決定手段は、電池残量の減少量に比例して計測間隔を大きな値に変更することを特徴とする。
【００３３】
また、前記生体情報計測端末の前記計測時間決定手段は、電池残量が予め設けられた電池残量の閾値を下回った時に計測時間を小さな値に変更することを特徴とする。
【００３４】
また、前記生体情報計測端末の前記計測時間決定手段は、電池残量の減少量に比例して計測時間を小さな値に変更することを特徴とする。
【００３５】
また、前記生体情報計測端末で計測する被験者の生体情報は、行動情報と脈情報であることを特徴とする。
【００３６】
また、前記生体情報計測端末は計測した前記生体情報を記憶する記憶手段と、前記電池残量に応じて前記計測結果送信手段の送信間隔を決定する送信間隔決定手段とを有することを特徴とする。 
【００３７】
また、前記生体情報計測端末の前記送信間隔決定手段は、電池残量が予め設けられた電池残量の閾値を下回った時に送信間隔を大きな値に変更することを特徴とする。
【００３８】
また、前記生体情報計測端末の前記送信間隔決定手段は、電池残量の減少量に比例して送信間隔を大きな値に変更することを特徴とする。
【００３９】
また、本発明の別の生体情報計測システムは、被験者の生体情報を計測する生体情報計測手段と、計測された前記生体情報を生体情報受信端末に送信する計測結果送信手段と、前記生体情報計測手段及び前記計測結果送信手段を作動させるための電池とを有する、少なくとも1つ以上の生体情報計測端末と、前記生体情報計測端末から送信された前記被験者の生体情報を受信する計測結果受信手段と、受信した生体情報を記憶する記憶手段とを有する生体情報受信端末と、からなる生体情報計測システムにおいて、前記生体情報計測端末は、前記生体情報計測端末の電池残量を計測する電池残量計測手段を有し、前記生体情報計測端末において、前記計測結果送信手段は、前記被験者の生体情報及び前記電池残量も送信し、前記生体情報受信端末において、前記記憶手段は、前記被験者の生体情報及び前記電池残量も記憶し、前記生体情報受信端末は、前記電池残量に応じて前記生体情報計測手段が前記被験者の生体情報を計測する間隔を決定する計測間隔決定手段と、前記電池残量に応じて前記生体情報計測手段が前記被験者の生体情報を計測する計測時間を決定する計測時間決定手段と、前記計測間隔決定手段で決定された計測間隔及び前記計測時間決定手段で決定された計測時間を前記生体情報計測端末に送信する決定結果送信手段とを有し、前記生体情報計測端末は、前記決定結果送信手段から送信されてきた決定結果を受信する決定結果受信手段を有することを特徴とする。
【００４０】
ここで前記生体情報計測端末は、複数の生体情報計測手段で生体情報を計測し、前記計測間隔決定手段及び前記計測時間決定手段は、前記電池残量に応じて生体情報計測手段ごとに計測間隔及び計測時間を変更することを特徴とする。
【００４１】
また、前記生体情報受信端末の前記計測間隔決定手段は、電池残量が予め設けられた電池残量の閾値を下回った時に計測間隔を大きな値に変更することを特徴とする。
【００４２】
また、前記生体情報受信端末の前記計測間隔決定手段は、電池残量の減少量に比例して計測間隔を大きな値に変更することを特徴とする。
【００４３】
また、前記生体情報受信端末の前記計測時間決定手段は、電池残量が予め設けられた電池残量の閾値を下回った時に計測時間を小さな値に変更することを特徴とする。
【００４４】
また、前記生体情報受信端末の前記計測時間決定手段は、電池残量の減少量に比例して計測時間を小さな値に変更することを特徴とする。
【００４５】
また、前記生体情報計測端末で計測する被験者の生体情報は、行動情報と脈情報であることを特徴とする。
【００４６】
また、前記生体情報計測端末は、計測した前記生体情報を記憶する記憶手段と、前記電池残量に応じて前記計測結果送信手段の送信間隔を決定する送信間隔決定手段とを有することを特徴とする。
【００４７】
また、前記生体情報計測端末の前記送信間隔決定手段は、電池残量が予め設けられた電池残量の閾値を下回った時に送信間隔を大きな値に変更することを特徴とする。
【００４８】
また、前記生体情報計測端末の前記送信間隔決定手段は、電池残量の減少量に比例して、送信間隔を変更することを特徴とする。 
【００４９】
また、前記生体情報受信端末は、生体情報計測端末の電池残量に応じて他の生体情報計測端末に被験者の生体情報を計測させるかを判定する判定手段と、前記判定手段の判定結果に応じて他の生体情報計測端末の動作を制御する制御信号を送信する制御信号送信手段とを有し、前記生体情報計測端末は、前記生体情報受信端末の制御信号送信手段から送られてきた制御信号を受信する制御信号受信手段を有することを特徴とする。
【００５０】
また、前記生体情報受信端末の前記判定手段は、電池残量が予め設けられた電池残量の閾値を下回った時に、他の生体情報計測端末で前記被験者の生体情報を計測するかを判定することを特徴とする。
【発明の効果】
【００５１】
本発明によれば、生体情報計測端末は電池残量に応じて計測間隔及び計測時間を変更することで端末の消費電力を減らすことができ、生体情報計測端末が電源電圧の低下によって動作不能になり、生体情報の計測が不可能になる、ということを回避できる。
【００５２】
また、電池残量を報知することにより被験者の生体情報を計測している生体情報計測端末の状態を確認でき生体情報計測端末が電源電圧の低下によって動作不能になり、生体情報の計測が不可能になる、ということを回避できる。
【００５３】
また、計測間隔及び計測時間だけでなく計測結果を送信する間隔を電池残量に応じて変更することで、省電力化が図れる。
【００５４】
また、生体情報計測端末が複数あり電池残量に応じて他の生体情報計測端末の動作を制御することができる機能を付加することで、いくつかの生体情報計測端末が電源電圧の低下によって動作不能になった場合でも、被験者の生体情報を継続して計測することが可能となる。
【００５５】
また、電池残量に応じて、他の生体情報計測端末の動作を制御することができる機能を生体情報計測端末ではなく生体情報受信端末に付加することで、生体情報計測端末に電力的な負荷をかけずに他の生体情報計測端末の制御を行うことができる。そして、いくつかの生体情報計測端末が電源電圧の低下によって動作不能になった場合でも被験者の生体情報を継続して計測することが可能となるとともに、生体情報計測端末を小型化及び軽量化することができる。
【００５６】
また、計測間隔決定手段及び計測時間決定手段を生体情報計測端末ではなく生体情報受信端末に持たせることで、生体情報計測端末に電力的な負荷をかけずに生体情報の計測間隔を制御することができ、いくつかの生体情報計測端末が電源電圧の低下によって動作不能になる、ということを回避できるとともに、生体情報計測端末を小型化及び軽量化することができる。 
【発明を実施するための最良の形態】
【００５７】
実施例実施例  図１は本発明に係る（基本的な）生体情報計測システムの実施の形態を示すブロック図である。
【００５８】
図１に示すように生体情報計測システムは、被験者の生体情報を計測する生体情報計測端末１１と、生体情報計測端末１１から送信された被験者の生体情報を受信するための生体情報受信端末１２と、からなる。
【００５９】
生体情報計測端末１１は、生体情報計測端末１１を作動させるための電力を蓄えた電池１１０と、前記電池１１０の残量を計測する電池残量計測手段１１１と、前記電池残量に応じて前記被験者の生体情報を計測する間隔を決定する計測間隔決定手段１１２と、前記電池残量に応じて生体情報を計測する計測時間を決定する計測時間決定手段１１３と、被験者の生体情報を計測する生体情報計測手段１１４と計測した生体情報を送信する計測結果送信手段１１5と、からなる。
【００６０】
生体情報受信端末１２は、計測結果送信手段１１5から送られてきた被験者の生体情報を受信する計測結果受信手段１２１と、計測結果受信手段１２１で受信した被験者の生体情報を記憶する記憶手段１２２と、からなる。
【００６１】
電池残量計測手段１１１は、電池の電圧値をはかり電池残量の判定を行う。計測間隔決定手段１１２は、電池残量の減少量に比例して計測間隔を決定する。例えば、予めハードディスクなどの記憶媒体に電池残量に応じた計測間隔のデータベースを記憶させ、そのデータベースをもとに計測間隔を決定する。計測時間決定手段１１３は、電池残量の減少量に比例して計測時間を決定する。例えば、予めハードディスクなどの記憶媒体に電池残量に応じた計測時間のデータベースを記憶させ、そのデータベースをもとに計測時間を決定する。生体情報計測手段１１４は、例えば被験者の行動情報や脈拍を計測する。計測結果送信手段１１5及び計測結果受信手段１２１は、例えばＢｌｕｅｔｏｏｔｈ（ＴＭ）や微弱無線などを用いて通信を行う。記憶手段１２２は、フラッシュメモリやハードディスクなどの記憶媒体に計測結果受信手段１２１で受信した被験者の生体情報を書き込むためのＣＰＵ搭載の記憶装置である。
【００６２】
次に、本発明の基本的な実施の形態の動作について、図２に示すフローチャートを用いて説明する。
【００６３】
生体情報計測時（２１）、まず現在時刻が電池残量計測を行う所定のタイミングになったかどうかの判定を行う（２２）。
【００６４】
電池残量計測を行うタイミングの場合、電池残量の計測を行い（２３）、電池残量の確認を行う（２４）。そして、確認された電池残量とデータベースの比較を行い、電池残量の応じた計測間隔及び計測時間に変更を行い（２５）、生体情報の計測を行う（２６）。
【００６５】
電池残量計測を行うタイミングでない場合、既定の計測時間及び計測間隔（まだ、一度も計測間隔及び計測時間を変更していない場合）、若しくは前回使用した計測間隔及び計測時間（１回以上計測間隔及び計測時間を変更している場合）で計測を行う（２７）。  
【００６６】
以後、上記の一連の計測フローを繰り返す。
【００６７】
以上のように、生体情報計測端末は、電池残量に応じて計測間隔及び計測時間を変更することで、端末の消費電力を減らすことができ、生体情報計測端末が電源電圧の低下によって動作不能となり、生体情報の計測が不可能になる、ということを回避できる。
【００６８】
尚、計測間隔決定手段１１２は、電池残量が予め設けられた電池残量の閾値を下回った時に計測間隔を変更するものであっても、電池残量の減少量に比例して、計測間隔を変更するものであっても同様の効果が得られる。
【００６９】
また、計測時間決定手段１１３も、電池残量が予め設けられた電池残量の閾値を下回った時に計測時間を変更するものであっても、電池残量の減少量に比例して、計測時間を変更するものであっても同様の効果が得られる。
【実施例１】
【００７０】
図３は、本発明の実施の形態１に係る生体情報計測システムのブロック図である。
【００７１】
本実施の形態での生体情報計測システムは、生体情報計測端末３１と、生体情報受信端末３２と、からなり、生体情報計測端末３１内に生体情報計測手段が複数ある場合の例である。
【００７２】
生体情報計測端末３１は、被験者の腕や腰などに装着することが可能な形体をしており、例えば端末本体とバンドから構成される。そして、この生体情報計測端末３１を作動させるための電力を蓄えた電池３１０と、前記電池３１０の残量を計測する電池残量計測手段３１１と、前記電池残量に応じて前記被験者の生体情報を計測する間隔を決定する計測間隔決定手段３１２と、前記電池残量に応じて生体情報を計測する計測時間を決定する計測時間決定手段３１３と、生体情報計測手段として被験者の行動情報を計測する行動情報計測手段３１４と、生体情報計測手段として被験者の脈情報を計測する脈情報計測手段３１５と、被験者の行動情報及び脈情報を送信する計測結果送信手段３１６と、からなる。
【００７３】
生体情報受信端末３２は、計測結果送信手段３１６から送られてきた被験者の行動情報及び脈情報を受信する計測結果受信手段３２１と、計測結果受信手段３２１で受信した被験者の行動情報及び脈情報を記憶する記憶手段３２２と、記憶手段３２２で記憶した情報を報知する報知手段３２３と、からなる。
【００７４】
電池残量計測手段３１１は、電池の電圧値をはかり電池残量の判定を行う。計測間隔決定手段３１２は、予め設けられた電池残量の閾値を電池残量が下回った時に、計測間隔を変更する。例えば、予めハードディスクなどの記憶媒体に電池残量の閾値とそれに対応する計測間隔を記憶させ、それをもとに計測間隔を決定する。計測時間決定手段３１３は、予め設けられた電池残量の閾値を電池残量が下回った時に、計測時間を変更する。例えば、予めハードディスクなどの記憶媒体に電池残量の閾値とそれに対応する計測時間を記憶させ、それをもとに計測時間を決定する。行動情報計測手段３１４は、例えば加速度センサやジャイロセンサを用いて被験者の歩行や転倒などの動き、手や足の角度、姿勢などを計測するものである。脈拍情報計測手段は、例えば光や超音波、圧力センサなどを用いて被験者の脈拍数を計測するものである。計測結果送信手段３１６及び計測結果受信手段３２１は、例えばＢｌｕｅｔｏｏｔｈ（ＴＭ）や微弱無線などを用いて通信を行う。記憶手段３２２は、フラッシュメモリやハードディスクなどの記憶媒体に計測結果受信手段３２１で受信した被験者の生体情報を書き込むためのＣＰＵ搭載の記憶装置である。報知手段３２３は、ディスプレーに文字やアイコンなどを使った表示、音声や警告音である。
【００７５】
計測間隔がセンサ（計測手段）ごとに設定される場合、例えば電池残量が予め設けられた電池残量の閾値１を下回った時にまず２つの計測手段のうち電力消費の多い行動情報の計測間隔を大きな値にし、さらに電池残量が減少して予め設けられた電池残量の閾値２を下回った時に脈情報の計測間隔を大きな値にすることで、消費電力を減らすことができる。
【００７６】
また、計測時間がセンサごとに設定される場合、例えば電池残量が予め設けられた電池残量の閾値１を下回った時にまず２つの計測手段のうち電力消費の多い行動情報の計測時間を小さな値にし、さらに電池残量が減少して予め設けられた電池残量の閾値２を下回った時に脈情報の計測時間を小さな値にすることで、消費電力を減らすことができる。
【００７７】
次に、計測間隔及び計測時間がセンサごとに設定される場合の動作について、図４に示すフローチャートを用いて説明する。
【００７８】
生体情報計測時（４１）、まず現在時刻が電池残量計測を行う所定のタイミングになったかどうかの判定を行う（４２）。電池残量計測を行うタイミングの場合は、電池残量の計測を行い（４３）、電池残量の確認を行う（４４）。
【００７９】
電池残量が閾値１よりも多く残っている場合、既定値で計測を行う（４５）。電池の残量が閾値１から閾値２の間の場合、行動情報計測手段の計測間隔及び計測時間を変更し（４６）、計測を行う（４７）。電池の残量が閾値２よりも少なくなっている場合、行動情報計測手段と脈情報計測手段の計測間隔及び計測時間を変更し（４８）、計測を行う（４７）。
【００８０】
電池残量計測を行うタイミングでない場合、既定の計測時間及び計測間隔で計測を行う（４５）。
【００８１】
以後、上記の一連の計測フローを繰り返す。
【００８２】
以上のように、生体情報計測端末は、電池残量に応じて計測間隔及び計測時間を変更することで生体情報計測端末の消費電力を減らすことができ、生体情報計測端末が電源電圧の低下によって動作不能になり、生体情報の計測が不可能になる、ということ回避できる。
【００８３】
尚、本実施の形態で計測結果送信手段３１６は、生体情報計測端末３１の電池残量を送信していないが、計測結果送信手段３１６が生体情報計測端末３１の電池残量を送信し、記録手段３２２は生体情報計測端末３１の電池残量を記録し、報知手段３２３で報知することも可能である。これにより、被験者の生体情報を計測している生体情報計測端末の状態を確認でき、生体情報計測端末が電源電圧の低下によって動作不能になり、生体情報の計測が不可能になる、ということを回避できる。
【００８４】
また、生体情報受信端末３２は、ネットワークに接続され、記憶手段３２２に記憶された計測結果を外部から読み出すことが可能であるものや、計測結果を外部に送信することが可能であるものであっても同様の効果が得られる。
【００８５】
また、電池残量計測手段３１１は、例えば生体情報計測端末の駆動時間から電池残量を推定するなどその他の方法であっても同様の効果が得られる。
【００８６】
また、計測間隔決定手段３１２は、例えば電池残量計測手段３１１で計測された電池残量に応じて、行動情報計測手段３１４と脈情報計測手段３１５の計測間隔を２つとも同じように、設定するものであっても同様の効果が得られる。
【００８７】
また、計測間隔決定手段３１２は、例えば電池残量の減少量に比例して、計測間隔を変更するものであっても、予め設けられた電池残量の閾値を電池残量が下回った時に、計測間隔を変更するものであっても、同様の効果が得られる。
【００８８】
また、計測時間決定手段３１３は、例えば電池残量計測手段３１１で計測された電池残量に応じて、行動情報計測手段３１４と脈情報計測手段３１５の計測時間を２つとも同じように設定するものであっても同様の効果が得られる。
【００８９】
また、計測時間決定手段３１３は、例えば電池残量の減少量に比例して、計測時間を変更するものであっても、予め設けられた電池残量の閾値を電池残量が下回った時に、計測時間を変更するものであっても、同様の効果が得られる。
【００９０】
また、これら計測間隔の制御と計測時間の制御は、どちらか一方のみを行うものであっても、どちらも同時に制御するものであっても同様の効果が得られる。
【００９１】
また、生体情報計測端末の生体情報計測手段として行動情報計測手段と脈情報計測手段の２つを示したが、これはどちらか一方のみでも、他の生体情報（体温、皮膚電流、脳波など）を計測するものであっても同様の効果が得られる。
【実施例２】
【００９２】
図５は、本発明の実施の形態２に係る生体情報計測システムのブロック図である。
【００９３】
本発明の形態での生体情報計測システムは、生体情報計測端末５１と、生体情報受信端末３２と、からなり、生体情報計測端末３１において、電池残量を基に送信間隔の制御を行う例である。
【００９４】
生体情報計測端末５１は、実施の形態１の生体情報計測端末３１に、計測した被験者の行動情報及び脈情報と生体情報計測端末５１の電池残量を記憶する記憶手段５１７と、計測した被験者の行動情報及び脈情報と生体情報計測端末５１の電池残量を生体情報受信端末３２に送信する送信間隔を電池残量計測手段３１１で計測された電池残量に応じて決定する送信間隔決定手段５１８と、を追加したものである。
【００９５】
送信間隔決定手段５１８は、電池残量の減少量に比例して送信間隔を決定する。例えば、予めハードディスクなどの記憶媒体に電池残量に応じた送信間隔のデータベースを記憶させ、そのデータベースをもとに送信間隔を決定する。
【００９６】
尚、図面中の同じ符号のものについては説明を割愛する。
【００９７】
次に、動作について図６に示すフローチャートを用いて説明する。
【００９８】
生体情報計測端末５１で生体情報計測が行われ（６１）、計測結果と電池残量が記憶される（６２）と、電池残量の確認が行われる（６３）。そして、確認された電池残量とデータベースの比較を行い、電池残量に応じた送信間隔に変更を行い（６４）、計測結果等の送信を行う（６５）。その後、再び電池残量の確認を行い、処理を繰り返す。
【００９９】
以上のように、計測間隔及び計測時間だけでなく、計測結果を送信する送信間隔を電池残量に応じて変更することで、更なる省電力化が図れる。
【０１００】
尚、送信間隔決定手段５１８は、予め設けられた電池残量の閾値を下回った時に送信間隔を変更するものであっても、電池残量の減少量に比例して、送信間隔を変更するものであっても同様の効果が得られる。
【実施例３】
【０１０１】
図７は本発明の実施の形態３に係る生体情報計測システムのブロック図である。
【０１０２】
本発明の形態での生体情報計測システムは、生体情報計測端末７１、７３と、生体情報受信端末３２と、からなり、生体情報計測端末７１が生体情報計測端末７３の動作制御を行う例である。
【０１０３】
生体情報計測端末７１は、実施の形態１の生体情報計測端末３１に、計測された電池残量に応じて、生体情報計測端末７３に被験者の生体情報を計測させるかの判定をおこなう判定手段７１９と、判定手段７１９の判定結果に応じて生体情報計測端末７３の動作を制御する制御信号を送信する制御信号送信手段７１１０と、を追加したものである。
【０１０４】
生体情報計測端末７３は、例えばベッドやトイレなどに備え付けられた商用電源駆動の据え置きの端末で、制御信号送信手段７１１０から送信された制御信号を受信する制御信号受信手段７３１と、脈情報を計測する脈情報計測手段７３２と、計測した脈情報を生体情報受信端末３２に送信する計測結果送信手段７３３と、からなる。
【０１０５】
判定手段７１９は、予めハードディスクなどの記憶媒体に生体情報計測端末７１の電池残量に応じた生体情報計測端末７３の制御方法を記憶させ、それをもとに生体情報計測端末７３の制御方法を判定する。制御信号送信手段７１１０及び制御信号受信手段７３１は、例えばＢｌｕｅｔｏｏｔｈ（ＴＭ）や微弱無線などを用いて通信を行う。
【０１０６】
尚、図面中の同じ符号のものについては説明を割愛する。
【０１０７】
次に、動作について図８に示すフローチャートを用いて説明する。
【０１０８】
生体情報計測端末７１は生体情報計測時（８１）、まず現在時刻が電池残量計測を行う所定のタイミングになったかどうかの判定を行う（８２）。電池残量計測を行うタイミングの場合は、電池残量の計測を行い（８３）、電池残量の確認を行う（８４）。
【０１０９】
電池残量が閾値１よりも多い場合、生体情報計測端末７１はそのまま計測を行う（８５）。電池残量が閾値１から閾値２の間の場合、他の生体情報計測端末７３を動作させるための制御信号、例えば測定開始信号を送信し（８６）、生体情報計測端末７１はそのまま計測を続ける（８５）。電池残量が閾値２以下の場合、生体情報計測端末７１は計測を終了する（８７）。
【０１１０】
電池残量計測を行うタイミングで無い場合、生体情報計測端末７１はそのまま計測を行う（８５）。
【０１１１】
一連の計測フローはこれで終了であるが、以後、これを繰り返す。
【０１１２】
以上のように、生体情報計測端末が複数あり、電池残量に応じて他の生体情報計測端末の動作を制御することができる機能を付加することで、いくつかの生体情報計測端末が電源電圧の低下によって動作不能になった場合でも、被験者の生体情報を継続して計測することが可能となる。
【０１１３】
尚、本実施の形態では、生体情報計測端末７１は記憶手段５１７と、送信間隔決定手段５１８を有さないが、記憶手段５１７と、送信間隔決定手段５１８を有し、送信間隔の制御を行うものであっても同様の効果が得られる。
【０１１４】
また、生体情報計測端末７３で計測する生体情報は脈情報であるが、生体情報計測端末７３で計測する生体情報は行動情報、体温、皮膚電流、脳波などであっても同様の効果が得られる。
【０１１５】
また、生体情報計測端末７３は、生体情報計測端末７３と同様の電池駆動式の端末であっても同様の効果が得られる。
【０１１６】
また、本発明の形態では２個の生体情報計測端末で説明したが、生体情報計測端末は３個以上あっても同様の効果が得られる。
【実施例４】
【０１１７】
図９は、本発明の実施の形態４に係る生体情報計測システムのブロック図である。
【０１１８】
本発明の形態で生体情報計測システムは、生体情報計測端末３１、７３と、生体情報受信端末９２と、からなり、生体情報受信端末９２で生体情報計測端末４３の動作制御を行う例である。
【０１１９】
生体情報受信端末９２は、実施の形態１の生体情報受信端末３２に受信した電池残量に応じて、生体情報計測端末７３生体情報計測端末７３に被験者の生体情報を計測させるかの判定をおこなう判定手段９２４と、判定手段９２４の判定結果に応じて生体情報計測端末７３の動作を制御する制御信号を送信する制御信号送信手段９２５と、を追加したものである。
【０１２０】
尚、図面中の同じ符号のものについては説明を割愛する。
【０１２１】
また、動作については、実施の形態３において生体情報計測端末３１の判定手段７１９で行われていた判定方法を、生体情報受信端末７３の判定手段９２４で使用できるため、説明は割愛する。
【０１２２】
以上のように、生体情報計測端末が複数あり、電池残量に応じて他の生体情報計測端末の動作を制御することができる機能を生体情報計測端末ではなく生体情報受信端末に付加することで、生体情報計測端末に電力的な負荷をかけずに他の生体情報計測端末の制御を行うことができる。そして、いくつかの生体情報計測端末が電源電圧の低下によって動作不能になった場合でも、被験者の生体情報を継続して計測することが可能となるとともに、生体情報計測端末を小型化及び軽量化することができる。
【０１２３】
尚、本実施の形態では、生体情報計測端末４１は、記憶手段５１７と送信間隔決定手段５１７を有さないが、記憶手段５１７と送信間隔決定手段５１８を有し、送信間隔の制御を行うものであっても同様の効果が得られる。
【実施例５】
【０１２４】
図１０は、本発明の実施の形態5に係る生体情報計測システムのブロック図である。
【０１２５】
本発明の形態で生体情報計測システムは、生体情報計測端末１０１と、生体情報受信端末１０２と、からなり、生体情報受信端末１０２が送受信通信機能を用いて、生体情報計測端末１０１の計測間隔及び計測時間を制御する例である。
【０１２６】
生体情報計測端末１０１は、実施の形態１の生体情報計測端末３１の計測結果送信手段３１６の代わりに、計測結果の送信だけでなく前記生体情報受信端末の計測時間決定手段によって決定された計測時間と計測間隔決定手段によって決定された計測間隔の受信も行うことができる送受信手段１０１１１を有する。また、計測間隔決定手段３１２と計測時間決定手段３１３は持たない。
【０１２７】
生体情報受信端末１０２は、実施の形態１の生体情報受信端末３２の計測結果受信手段３２１の代わりに、計測結果の受信だけでなく計測時間決定手段によって決定された計測時間と計測間隔決定手段によって決定された計測間隔の送信も行うことができる送受信手段１０２６と、受信した生体情報計測端末１０１の電池残量に応じて行動情報計測手段３１４と脈情報計測手段３１５の計測間隔を決定する計測間隔決定手段１０２７と、計測時間を決定する計測時間決定手段１０２８と、を有する。
【０１２８】
計測間隔決定手段１０２７で決定された計測間隔及び計測時間決定手段１０２８で決定された計測時間は、送受信手段１０２６から送受信手段１０１１１に送信され、生体情報計測端末１０１は、受信した計測間隔及び計測時間に応じて被験者の行動情報及び脈情報を計測する。計測間隔決定手段１０２７は、電池残量計測手段３１１で計測された電池残量に応じて行動情報計測手段３１４と脈情報計測手段３１５の計測間隔を個々に設定するものであっても、２つの計測手段の計測間隔が同じであっても同様の効果が得られる。
【０１２９】
計測間隔がセンサごとに設定される場合、例えば電池残量が予め設けられた電池残量の閾値１を下回った時にまず２つの計測手段のうち電力消費の多い行動情報の計測間隔を大きな値にし、さらに電池残量が減少して予め設けられた電池残量の閾値２を下回った時に脈情報の計測間隔を大きな値にすることで、消費電力を減らすことができる。
【０１３０】
また計測時間決定手段１０２８は、電池残量計測手段３１１で計測された電池残量に応じて行動情報計測手段３１４と脈情報計測手段３１５の計測時間を個々に設定するものであっても、２つの計測手段の計測時間は同じであっても同様の効果が得られる。計測時間がセンサごとに設定される場合、例えば電池残量が予め設けられた電池残量の閾値１を下回った時にまず２つの計測手段のうち電力消費の多い行動情報の計測時間を小さな値にし、さらに電池残量が減少して予め設けられた電池残量の閾値２を下回った時に脈情報の計測時間を小さな値にすることで、消費電力を減らすことができる。
【０１３１】
送受信手段１０２６及び送受信手段１０１１１は、例えば例えばＢｌｕｅｔｏｏｔｈ（ＴＭ）や微弱無線などを用いて通信を行う。
【０１３２】
尚、図面中の同じ符号のものについては説明を割愛する。
【０１３３】
また、動作については、実施の形態１において生体情報計測端末３１の計測間隔決定手段３１２及び計測時間決定手段３１３で行われていた方法を、生体情報受信端末７３の計測間隔決定手段１０２７及び計測時間決定手段１０２８で使用できるため、説明は割愛する。
【０１３４】
以上のように、計測間隔決定手段及び計測時間決定手段を生体情報計測端末ではなく生体情報受信端末に持たせることで、生体情報計測端末に電力的な負荷をかけずに生体情報の計測間隔を制御することができる。そして、いくつかの生体情報計測端末が電源電圧の低下によって動作不能になる、ということを回避でき、生体情報計測端末を小型化及び軽量化することができる。
【０１３５】
尚、本実施例では生体情報計測端末７１は、記憶手段５１７と送信間隔決定手段５１８を有さないが、記憶手段５１７と送信間隔決定手段５１８を有し送信間隔の制御を行うものであっても同様の効果が得られる。
【０１３６】
また、送信間隔決定手段５１８は、生体情報受信端末にあっても同様の効果が得られる。
【実施例６】
【０１３７】
図１１は本発明の実施の形態６に係る生体情報計測システムのブロック図である。
【０１３８】
本発明の形態で生体情報計測システムは、生体情報計測端末１０１、７３と生体情報受信端末１１０２と、からなり、生体情報受信端末１１０２において、生体情報計測端末７３の計測間隔、計測時間、及び動作を制御する例である。
【０１３９】
生体情報受信端末１１０２は、実施の形態５の生体情報受信端末１０２に判定手段９２４と制御信号送信手段９２５を持ったものである。
【０１４０】
尚、図面中の同じ符号のものについては説明を割愛する。
【０１４１】
また、動作については、実施の形態３において生体情報計測端末７１の計測間隔決定手段３１２、計測時間決定手段３１３、及び判定手段７１９で行われていた方法を、生体情報受信端末７３の計測間隔決定手段１０２７、計測時間決定手段１０２８、及び判定手段９２４で使用できるため、説明は割愛する。
【０１４２】
以上のように、生体情報計測端末が複数あり、電池残量に応じて他の生体情報計測端末の動作を制御することができる機能を、生体情報計測端末ではなく生体情報受信端末に付加し、計測間隔決定手段及び計測時間決定手段を生体情報計測端末ではなく生体情報受信端末に持たせることで、生体情報計測端末に電力的な負荷をかけずに生体情報計測端末の制御を行うことができる。そして、いくつかの生体情報計測端末が電源電圧の低下によって動作不能になった場合でも被験者の生体情報を継続して計測することが可能となる。
【０１４３】
また生体情報計測端末を小型化及び軽量化することができる。
【図面の簡単な説明】
【０１４４】
【図１】本発明に係る生体情報計測システムの実施の形態を示すブロック図である。
【図２】本発明に係る生体情報計測システムの実施の形態における計測間隔及び計測時間変更のフローチャート図である。
【図３】本発明の実施の形態１に係る生体情報計測システムのブロック図である。
【図４】本発明の実施の形態１に係る生体情報計測システムにおける計測間隔及び計測時間変更のフローチャート図である。
【図５】本発明の実施の形態２に係る生体情報計測システムのブロック図である。
【図６】本発明の実施の形態２に係る生体情報計測システムにおける送信間隔変更のフローチャート図である。
【図７】本発明の実施の形態３に係る生体情報計測システムのブロック図である。
【図８】本発明の実施の形態３に係る生体情報計測システムにおける制御信号送信のフローチャート図である。
【図９】本発明の実施の形態４に係る生体情報計測システムのブロック図である。
【図１０】本発明の実施の形態5に係る生体情報計測システムのブロック図である。
【図１１】本発明の実施の形態６に係る生体情報計測システムのブロック図である。
【符号の説明】
【０１４５】
１１、３１、５１、７１、７３、１０１  生体情報計測端末
１２、３２、９２、１０２、１１０２  生体情報受信端末
１１０、３１０    電池
１１１、３１１    電池残量計測手段
１１２、３１２、１０２７    計測間隔決定手段
１１３、３１３、１０２８    計測時間決定手段
１１４    生体情報計測手段
１１５、３１６、７３３    計測結果送信手段
１２１、３２１    計測結果受信手段
１２２、３２２、５１７    記憶手段
３２３    報知手段
３１４    行動情報計測手段
３１５、７３２    脈情報計測手段
５１８    送信間隔決定手段
７１９、９２４    判定手段
７１１０、９２５    制御信号送信手段
７３１    制御信号受信手段
１０１１１、１０２６    送受信手段
【図１】
2004230152.tif 000003
【図２】
2004230152.tif 000004
【図３】
2004230152.tif 000005
【図４】
2004230152.tif 000006
【図５】
2004230152.tif 000007
【図６】
2004230152.tif 000008
【図７】
2004230152.tif 000009
【図８】
2004230152.tif 000010
【図９】
2004230152.tif 000011
【図１０】
2004230152.tif 000012
【図１１】
2004230152.tif 000013